【手続補正書】
【提出日】令和1年7月12日(2019.7.12)
【手続補正１】
【補正対象書類名】明細書
【補正対象項目名】０００５
【補正方法】変更
【補正の内容】
【０００５】
【特許文献１】特開２００３−１８７７８号公報
【特許文献２】特開２００９−１１２１８６号公報
【手続補正２】
【補正対象書類名】明細書
【補正対象項目名】００２０
【補正方法】変更
【補正の内容】
【００２０】
また、突出湾曲部１４ｃは、一対の傾斜部１４ｂの先端同士を連結するとともに、軸方向外側に湾曲して突出するように形成されている。突出湾曲部１４ｃは、各傾斜部１４ｂの先端から軸方向外側に湾曲する部分のみで構成される。
更に、クランク形状部１４ｄは、突出湾曲部１４ｃに形成され、図７（Ａ）に示すように、一方の傾斜部１４ｂから他方の傾斜部１４ｂに向けて導体セグメント１４の板厚ｔ分だけずらすようになっている。
そして、各導体セグメント１４において、図７（Ｂ）に示すように、一対の直線状部１４ａの各々と一対の傾斜部１４ｂの各々との接続部分１４ｅ、突出湾曲部１４ｃの湾曲している部分、及び一対の傾斜部１４ｂの各々の先端と突出湾曲部１４ｃとの接続部分１４ｆが、全て同一の最小Ｒの曲げ半径ｒの曲げ加工部となっている。ここで、最小Ｒとは、導体セグメント１４（導体素線）の板幅ｗ以上、かつ、導体セグメント１４の突出高さｈ１および２本の直線状部１４ａの間隔を固定したとき曲げ半径ｒによって決まる傾斜部１４ｂの傾斜角θ１が概ね３０度以上となる曲げ半径ｒ以下のことを意味する。
【手続補正３】
【補正対象書類名】明細書
【補正対象項目名】００３９
【補正方法】変更
【補正の内容】
【００３９】
次に、２本目のＵ相の固定子巻線１３の結線に戻り、図８（Ａ）及び図１１に示すように、導体セグメント１４の一方の直線状部１４ａを第２スロット１２２の内側から６番目に挿入するとともに、他方の直線状部１４ａを第８スロット１２８の内側から５番目に挿入する。
これと同様の要領で、別の導体セグメント１４の一方の直線状部１４ａを第１４スロット１２１４の内側から６番目に挿入するとともに、他方の直線状部１４ａを第２０スロット１２２０の内側から５番目に挿入する。
【手続補正４】
【補正対象書類名】明細書
【補正対象項目名】００４２
【補正方法】変更
【補正の内容】
【００４２】
次に、１本目のＵ相の固定子巻線１３の結線に戻り、図８（Ａ）及び図１２に示すように、第４４スロット１２４４の内側から３番目に挿入された導体セグメント１４の他方の直線状部１４ａの端部１４ｇを、周方向に第２スロット１２２に向かって折り曲げるとともに、第２スロット１２２の内側から２番目に挿入された導体セグメント１４の一方の直線状部１４ａの端部１４ｇを、周方向に第４４スロット１２４４に向かって折り曲げ、それぞれの端部１４ｇ同士を溶接によって接合する。
また、第８スロット１２８の内側から１番目に挿入された導体セグメント１４の他方の直線状部１４ａの端部１４ｇを、周方向に第１４スロット１２１４に向かって折り曲げるとともに、第１４スロット１２１４の内側から２番目に挿入された導体セグメント１４の一方の直線状部１４ａの端部１４ｇを、周方向に第８スロット１２８に向かって折り曲げ、それぞれの端部１４ｇ同士を溶接によって接合する。
【手続補正５】
【補正対象書類名】明細書
【補正対象項目名】００４６
【補正方法】変更
【補正の内容】
【００４６】
次に、２本目のＵ相の固定子巻線１３の結線に戻り、図８（Ａ）及び図１２に示すように、第４４スロット１２４４の内側から７番目に挿入された導体セグメント１４の他方の直線状部１４ａの端部１４ｇを、周方向に第２スロット１２２に向かって折り曲げるとともに、第２スロット１２２の内側から６番目に挿入された導体セグメント１４の一方の直線状部１４ａの端部１４ｇを、周方向に第４４スロット１２４４に向かって折り曲げ、それぞれの端部１４ｇ同士を溶接によって接合する。
また、第８スロット１２８の内側から５番目に挿入された導体セグメント１４の他方の直線状部１４ａの端部１４ｇを、周方向に第１４スロット１２１４に向かって折り曲げるとともに、第１４スロット１２１４の内側から６番目に挿入された導体セグメント１４の一方の直線状部１４ａの端部１４ｇを、周方向に第８スロット１２８に向かって折り曲げ、それぞれの端部１４ｇ同士を溶接によって接合する。
【手続補正６】
【補正対象書類名】明細書
【補正対象項目名】００５６
【補正方法】変更
【補正の内容】
【００５６】
ここで、隣接する一方の導体セグメント１４のクランク形状部１４ｄは、図１８（Ｂ）に示すように、隣接する他方の導体セグメント１４の傾斜部１４ｂの上側を横切る。この際に、隣接する他方の導体セグメント１４の傾斜部１４ｂの上角縁１４ｂａは、隣接する一方の導体セグメント１４のクランク形状部１４ｄに対して隙間を空けた下方に位置する。これは、隣接する他方の導体セグメント１４の湾曲部１４ｈの内側の曲げ半径ｒ１が最小Ｒよりも小さいため、隣接する他方の導体セグメント１４の傾斜部１４ｂの傾斜開始のポイントが湾曲部１４ｈ側に寄り、隣接する一方の導体セグメント１４のクランク形状部１４ｄから離れることから、このクランク形状部１４ｄの位置では隣接する他方の導体セグメント１４の傾斜部１４ｂの上角縁１４ｂａが下方に下がっているからである。
従って、この図１７及び図１８に示す場合には、隣接する導体セグメント１４同士が干渉することなく、コイルエンドの高さをｈ１に低くすることができる。
しかしながら、湾曲部１４ｈの内側の曲げ半径ｒ１が最小Ｒよりも小さいため、導体セグメント１４の絶縁被覆（エナメル被覆）の損傷を招くおそれがある。
【手続補正７】
【補正対象書類名】明細書
【補正対象項目名】００６２
【補正方法】変更
【補正の内容】
【００６２】
次に、図２３を参照して、導体セグメント１４の変形例について説明する。図２３において、図７に示す部材と同一の部材については同一の符号を付し、その説明を省略することがある。
図２３に示す導体セグメント１４は、一対の直線状部１４ａと、一対の傾斜部１４ｂと、突出湾曲部１４ｃと、クランク形状部１４ｄとを備えている。導体セグメント１４は、断面略矩形状の導体素線の外周にエナメル被覆（絶縁被覆）を施すことによって形成される。
導体セグメント１４の一対の直線状部１４ａは、図７に示す導体セグメント１４の一対の直線状部１４ａと同様に、固定子コア１１に形成された周方向に異なる一対のスロット１２に差し込まれ、各直線状部１４ａの端部１４ｇが周方向に折り曲げられ、同じく周方向に折り曲げられた、別個の導体セグメント１４の端部１４ｇに溶接によって接合される。
【手続補正８】
【補正対象書類名】明細書
【補正対象項目名】００６４
【補正方法】変更
【補正の内容】
【００６４】
また、突出湾曲部１４ｃは、一対の傾斜部１４ｂの先端同士を連結するとともに、軸方向外側に湾曲して突出するように形成されている。突出湾曲部１４ｃは、図７に示す導体セグメント１４の突出湾曲部１４ｃと異なり、一対の傾斜部１４ｂの各々の先端から軸方向に沿って外側に直線状に延びる一対の直線部１４ｉを備えている。また、突出湾曲部１４ｃは、一対の直線部１４ｉの先端同士を連結する、軸方向外側に湾曲して突出する湾曲部１４ｊを備えている。
また、クランク形状部１４ｄは、突出湾曲部１４ｃに形成され、図２３（Ａ）に示すように、一方の直線状部１４ｂから他の直線状部１４ｂに向けて導体セグメント１４の板厚ｔ分だけずらすようになっている。
【手続補正９】
【補正対象書類名】明細書
【補正対象項目名】００６６
【補正方法】変更
【補正の内容】
【００６６】
その後、一方の接続部分１４ｆに相当する部分の外側面を、棒状部材を用いて突出湾曲部１４ｃとなる部分が突出するように折り曲げるとともに、湾曲部１４ｊとなる部分の内側面を、棒状部材を用いて折り曲げる。
そして、他方の接続部分１４ｆに相当する部分の外側面を、棒状部材を用いて他方の傾斜部１４ｂが一方の傾斜部１４ｂと対称となるように折り曲げる。
最後に、他方の接続部分１４ｅに相当する部分の内側面を、棒状部材を用いて他方の直線状部１４ａが一方の直線状部１４ａと平行となるように折り曲げる。これにより、導体セグメント１４が完成する。